【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
屈折率（ｎ１）を有する背景材および少なくとも２種類の複数の介在物を備えたクラッド（１）の第１タイプの介在物（２）が前記背景材の屈折率（ｎ１）より高い屈折率（ｎ２）を有し、第２タイプの介在物（３）が前記背景材の屈折率（ｎ１）より低い屈折率（ｎ３）を有して成るクラッド（１）に包囲されたコア（４）を含み、光の基本モードのフォトニック禁制帯による導光を可能にする微細構造光ファイバであって、前記クラッドの介在物（２、３）が、波長λＲＴＩを中心とする光の基本モードの全反射（ＲＴＩ）による導光を可能にし、かつ全反射（ＲＴＩ）によって導光される基本モードのこのλＲＴＩより低い波長λＢＧ１を中心とする第１フォトニック禁制帯（ＢＧ１）での光の基本モードの導光を可能にするように、配列されかつ大きさを決定されることを特徴とする微細構造光ファイバ。
【請求項２】
前記クラッド（１）の平均実効屈折率（ｎｆｓｍ）が、少なくとも波長λＢＧ１より高い波長範囲では前記クラッド（１）の前記背景材の屈折率（ｎ１）より低いことを特徴とする、請求項１に記載の微細構造光ファイバ。
【請求項３】
前記コア（４）が前記第１タイプの介在物（２）によって構成される中央クラウンによって包囲され、前記第２タイプの全ての介在物（３）がこの中央クラウンの外側に位置されることを特徴とする、請求項１または２のいずれか１項に記載の微細構造光ファイバ。
【請求項４】
前記介在物（２）の屈折率（ｎ２）が前記コア（４）の屈折率（ｎ４）より高いことを特徴とする、請求項１〜３のいずれか１項に記載の微細構造光ファイバ。
【請求項５】
前記ファイバの前記コア（４）が前記クラッド（１）と同じ背景材を含むことを特徴とする、請求項１〜４のいずれか１項に記載の微細構造光ファイバ。
【請求項６】
前記コア（４）の屈折率（ｎ４）が前記クラッド（１）の前記背景材の屈折率（ｎ１）と等しいことを特徴とする、請求項１〜５のいずれか１項に記載の微細構造光ファイバ。
【請求項７】
前記ファイバの前記コア（４）が前記クラッド（１）の前記背景材と同一材料から構成されることを特徴とする、請求項６に記載の微細構造光ファイバ。
【請求項８】
前記介在物（２、３）が、一定ステップ（Λ）によって特徴付けられる周期的ネットワークの形状に配列されることを特徴とする、請求項１〜７のいずれか１項に記載の微細構造光ファイバ。
【請求項９】
前記クラッド（１）の平均実効屈折率（ｎｆｓｍ）が少なくとも波長λＢＧ１より高い波長範囲では前記クラッド（１）の前記背景材の屈折率（ｎ１）より低くなるように、前記第２タイプの介在物（３）の大きさおよび介在物のネットワークのステップ（Λ）が選択されることを特徴とする、請求項８に記載の微細構造光ファイバ。
【請求項１０】
前記クラッドの前記介在物（２、３）が、位相整合されたｍ個の波（ｍ≧３）の組合せを可能にするような仕方で配列されかつ大きさを決定され、これらの波のうちの少なくとも２つが異なる波長（λＲＴＩ、λＢＧ１）を有し、それぞれ全反射（ＲＴＩ）によって導光される基本モードおよび第１フォトニック禁制帯（ＢＧ１）で導光される基本モードに属することを特徴とする、請求項１〜９のいずれか１項に記載の微細構造光ファイバ。
【請求項１１】
第１禁止帯（ＢＧ２）で導光される基本モードおよび全反射（ＲＴＩ）によって導光される基本モードが次の条件（ａ）および（ｂ）、すなわち
2010534860.tif 000001
を累積的に順守し、ｍが３以上の整数であり、ｎλｉが波長λｉで光ファイバを伝搬する基本モードの実効屈折率の値であること、ならびに
前記条件（ａ）および（ｂ）を順守する波長λｉのうち、少なくとも１つの波長（λＲＴＩ）が全反射（ＲＴＩ）によって導光される基本モードに属し、少なくとも１つの波長（λＢＧ１）が第１禁止帯（ＢＧ１）で導光される基本モードに属することを特徴とする、請求項１〜１０のいずれか１項に記載の微細構造光ファイバ。
【請求項１２】
全反射（ＲＴＩ）によって導光される基本モードおよび第１フォトニック禁制帯（ＢＧ１）で導光される基本モードにそれぞれ属する少なくとも２つの異なる波長λＲＴＩおよびλＢＧ１に対し、これら２つの波長λＲＴＩおよびλＢＧ１におけるファイバの実効屈折率（ｎλＲＴＩ；ｎλＢＧ１）が等しくかつ前記クラッドの前記背景材の屈折率（ｎ１）より低くなるように、前記クラッドの前記介在物（２、３）が配列されかつ大きさを決定されることを特徴とする、請求項１〜１１のいずれか１項に記載の微細構造光ファイバ。
【請求項１３】
前記２つの波長λＲＴＩおよびλＢＧ１が次の条件、すなわちλＲＴＩ＝ｋ×λＢＧ１（ｋは２以上の整数である）を順守することを特徴とする、請求項１〜１２のいずれか１項に記載の微細構造光ファイバ。
【請求項１４】
前記２つの波長λＲＴＩおよびλＢＧ１が次の条件、すなわちλＲＴＩ＝２λＢＧ１を順守することを特徴とする、請求項１３に記載の微細構造光ファイバ。
【請求項１５】
前記２つの波長λＲＴＩおよびλＢＧ１が次の条件、すなわちλＲＴＩ＝３λＢＧ１を順守することを特徴とする、請求項１３に記載の微細構造光ファイバ。
【請求項１６】
全反射（ＲＴＩ）によって導光される基本モードの波長λＲＴＩが、第１禁制帯（ＢＧ１）で導光される基本モードの波長範囲の外側に位置されることを特徴とする、請求項１〜１５のいずれか１項に記載の微細構造光ファイバ。
【請求項１７】
介在物（２、３）のネットワークが六角形であり、ハチの巣型であることを特徴とする、請求項１〜１６のいずれか１項に記載の微細構造光ファイバ。
【請求項１８】
介在物（２、３）のネットワークが正方形を形成することを特徴とする、請求項１〜１６のいずれか１項に記載の微細構造光ファイバ。
【請求項１９】
介在物（２、３）のネットワークが、前記第１タイプの介在物（２）によって形成される少なくとも２つの同心クラウンを含み、前記中央クラウンの前記第１タイプの介在物（２）を除いて、前記第１タイプの各介在物（２）が前記第２タイプの複数の介在物（３）によって包囲されることを特徴とする、請求項１〜１８のいずれか１項に記載の微細構造光ファイバ。
【請求項２０】
前記クラッドの前記背景材がシリカから作られ、かつ前記第２タイプの介在物（３）が空気孔を含むことを特徴とする、請求項１〜１９のいずれか１項に記載の微細構造光ファイバ。
【請求項２１】
前記クラッドの前記背景材がシリカから作られ、かつ前記第１タイプの介在物（２）がドープされたシリカの介在物を含むことを特徴とする、請求項１〜２０のいずれか１項に記載の微細構造光ファイバ。
【請求項２２】
前記第１タイプの介在物（２）が、ゲルマニウムをドープされたシリカまたはリンをドープされたシリカから作られた介在物を含むことを特徴とする、請求項２１に記載の微細構造光ファイバ。
【請求項２３】
前記クラッドの前記背景材がシリカから作られ、かつ前記第１タイプの介在物（２）がテルライトガラスまたはカルコゲナイドガラスから作られた介在物を含むことを特徴とする、請求項１〜２２のいずれか１項に記載の微細構造光ファイバ。
【請求項２４】
前記第１タイプの介在物（２）が、前記クラッド（１）の背景材の屈折率（ｎ１）より高い屈折率（ｎ２）を呈する液体または気体を包含する介在物を含むことを特徴とする、請求項１〜２３のいずれか１項に記載の微細構造光ファイバ。
【請求項２５】
前記第２タイプの介在物（３）が、前記クラッド（１）の背景材の屈折率（ｎ１）より低い屈折率（ｎ３）を呈する液体または気体を包含する介在物を含むことを特徴とする、請求項１〜２４のいずれか１項に記載の微細構造光ファイバ。
【請求項２６】
非線形効果による周波数の発生のための、特に次の応用、すなわち双子の光子の発生、三つ子の光子の発生、複数の周波数の発生、特に周波数の２倍化および周波数の３倍化のうちの１つのための請求項１〜２５のいずれか１項に記載の微細構造光ファイバの使用。